(57)【要約】【課題】部品点数と製造コストが削減されるとともに、カーテンとの保持状態が向上したカーテン吊下具を提供する。【解決手段】カーテンレールのリングに吊下げるリング用フック１０が、リング用フック１０に連設された、カーテン補強材の袋部に挿入されるカーテン用フック２０と一体に形成されたカーテン吊下具１であって、カーテンに必要以上の荷重が生じた際、形状が変形することでカーテンをレールから落下させる変形部１１がリング用フック１０に形成されており、かつ、リング用フック１０とカーテン用フック２０との間隔が、カーテン補強材の袋部の側辺を挟持できる幅に形成されている。【選択図】図１
0003205985.tif 000002
【実用新案登録請求の範囲】
【請求項１】
カーテンレールのリングに吊下げるリング用フックが、該リング用フックに連設された、カーテン補強材の袋部に挿入されるカーテン用フックと一体に形成されたカーテン吊下具であって、カーテンに必要以上の荷重が生じた際、形状が変形することで前記カーテンをレールから落下させる変形部が前記リング用フックに形成されており、かつ、前記リング用フックと前記カーテン用フックとの間隔が、前記カーテン補強材の前記袋部の側辺を挟持できる幅に形成されていることを特徴とするカーテン吊下具。
【請求項２】
前記カーテン用フックが板状であり、かつ、前記リング用フックの幅より幅広に形成されている請求項１記載のカーテン吊下具。
【請求項３】
前記カーテン用フックが板状であり、かつ、前記リング用フックより幅広の湾曲部が形成されている請求項１または２に記載のカーテン吊下具。
【請求項４】
前記リング用フックに係止用凸部が形成されている請求項１ないし３のうちいずれか１項に記載のカーテン吊下具。
【請求項５】
前記リング用フック及び／または前記カーテン用フックに発光性が付与されている請求項１ないし４のうちいずれか１項に記載のカーテン吊下具。
【請求項６】
前記リング用フック及び／または前記カーテン用フックに色彩が付与されている請求項１ないし５のうちいずれか１項に記載のカーテン吊下具。
【請求項７】
前記リング用フック及び／または前記カーテン用フックに害虫忌避性が付与されている請求項１ないし６のうちいずれか１項に記載のカーテン吊下具。
【請求項８】
前記リング用フック及び／または前記カーテン用フックに消臭性が付与されている請求項１ないし７のうちいずれか１項に記載のカーテン吊下具。
【考案の詳細な説明】
【技術分野】
【０００１】
本考案は、部品点数と製造コストが削減されるとともに、カーテンとの保持状態が向上したことを特徴とするカーテン吊下具に関する。
【背景技術】
【０００２】
一般的なカーテンは、窓の室内側のカーテンレールに吊下げられ、レール内のランナより開閉自在に装着されている。また、通常、カーテンは容易に落下しないように、ランナに連結されたリングに、金属やプラスチック等からなるリング用フックを介して強固に取り付けられている。
【０００３】
また、市販されているリング用フックは、カーテンレールに摺動自在に装着されているリングに掛けられ、さらにリング用フックの基部は、カーテンを吊下げる高さを調節するアジャスターに装着されている。
【０００４】
また、カーテンに必要以上の荷重が生じた際、カーテンをレールから落下させることができるカーテン吊下具が提案されている（例えば特許文献１参照）。
特許文献１のカーテン吊下具用は、カーテンをレールに吊下げる連結具（フック用リング）を備え、該連結具がレールに対する掛止部を有するか、またはそれ自体で掛止部を形成し、カーテンに必要以上の荷重が生じた際、該掛止部が変形してカーテンがレールから落下することを特徴としている。
【０００５】
特許文献１に記載されたカーテン吊下具用は、通常のカーテン使用時においては何等問題を生じることはないが、カーテンに必要以上の荷重が生じた際、形状が変形してカーテンをレールから落下させることができるので、不慮の事故の防止や防火の効果を実現することができる。
【先行技術文献】
【特許文献】
【０００６】
【特許文献１】実用新案登録第３１６１７３９号公報（実用新案登録請求の範囲等）
【考案の概要】
【考案が解決しようとする課題】
【０００７】
しかし、上掲特許文献１に記載されたカーテン吊下具の連結具（フック用リング）は、カーテンの吊下げる高さを自在に調節することができるアジャスターに連結されているため、部品点数が増えて製造時のコストアップに繋がるという問題が生じていた。
【０００８】
また、アジャスターに連設されているカーテン用フックは、リング用フック体と略同一幅に形成されていた。そのため、カーテンの上部に設置されるカーテン補強材２の袋部３に装着した場合、図８に示すように、カーテン吊下具１が斜めに傾いてしまうことがあった。
【０００９】
そこで、本考案の目的は、上記問題点を解消して、部品点数と製造コストが削減されるとともに、カーテンとの保持状態が向上したカーテン吊下具を提供することにある。
【課題を解決するための手段】
【００１０】
本考案のカーテン吊下具は、カーテンレールのリングに吊下げるリング用フックが、該リング用フックに連設された、カーテン補強材の袋部に挿入されるカーテン用フックと一体に形成されたカーテン吊下具であって、カーテンに必要以上の荷重が生じた際、形状が変形することで前記カーテンをレールから落下させる変形部が前記リング用フックに形成されており、かつ、前記リング用フックと前記カーテン用フックとの間隔が、前記カーテン補強材の前記袋部の側辺を挟持できる幅に形成されていることを特徴とするものである。
【００１１】
また、本考案のカーテン吊下具は、カーテン用フックが板状で、リング用フックの幅より幅広に形成されていることが好ましく、また、カーテン用フックが板状でリング用フックより幅広の湾曲部が形成されていることが好ましく、さらにまた、リング用フックに係止用凸部が形成されていることが好ましい。また、本考案のカーテン吊下具には、発光性、色彩、害虫忌避性、消臭性を付与することができる。
【考案の効果】
【００１２】
本考案のカーテン吊下具によれば、リング用フックとカーテン用フックが一体に形成されるため、部品点数と製造コストを削減することができる。また、リング用フックとカーテン用フックとの間隔が、カーテン補強材の袋部の側辺を挟持できる幅に形成されていることにより、カーテンとの保持状態を向上させることができる。
【００１３】
また、カーテン用フックを板状とし、幅や形状を調整することで、さらにまた、リング用フックに係止用凸部を形成することで、カーテンとの保持状態をさらに向上させることができる。
【００１４】
さらに、発光性、色彩、害虫忌避性、消臭性等のさまざまな付加価値を付与させることにより、使用中における利便性を高めることができる。
【図面の簡単な説明】
【００１５】
【図１】本考案の一実施形態に係るカーテン吊下具の側面図である。
【図２】図１に示すカーテン吊下具の全体斜視図である。
【図３】図１に示すカーテン吊下具の正面図である。
【図４】カーテンフック部に幅の広い湾曲部を有するカーテン吊下具の正面図である。
【図５】図１に示すカーテン吊下具の使用状態の側面図である。
【図６】カーテン用フックが板状で、かつ、リング用フックの幅より幅広状に形成されたカーテン吊下具の使用状態の正面図である。
【図７】リング用フックに係止用凸部が形成されたカーテン吊下具カーテン吊下具の側面図である。
【図８】従来のカーテン吊下具の使用状態正面図である。
【考案を実施するための形態】
【００１６】
以下、本考案におけるカーテン吊下具の実施の形態を図面に基づいて説明する。
【００１７】
カーテン吊下具１は、カーテンレールのリングに吊り下げるリング用フック１０と、リング用フック１０に連設された、カーテン補強材２の袋部３に挿入されるカーテン用フック２０とが一体的に形成される。
【００１８】
また、リング用フック１０は、カーテンに必要以上の荷重が生じた際、例えば１０ｋｇ以上の荷重を与えると、変形部１１が変形してカーテンをレールから落下させることができる。
【００１９】
変形部１１は薄状を呈しており、カーテンに必要以上の荷重が生じた際に破損することなく弾性変形する素材からなる。この素材の具体例としては、スチール等の金属材料またはポリオレフィン樹脂、ポリエステル樹脂、ポリカーボネート樹脂、ポリアミド樹脂等の樹脂材料やエラストマー材料が挙げられる。
【００２０】
リング用フック１０が上述の特性を有することにより、火災が発生した際、炎が引火する前にカーテンをレールから容易に取り外すことができる。また、カーテンに足を掛けて転倒するという事故も未然に防ぐことが可能となる。
【００２１】
カーテン用フック２０は、カーテン上部に設置されるカーテン補強材２の袋部３に挿入されるもので、リング用フック１０の基軸１２の底部よりヘアピン状に折曲され、使用状態で先端が上を向く状態で一連に形成されている。
【００２２】
本考案のカーテン吊下具１においては、リング用フック１０とカーテン用フック２０の間隔ａは、幅狭に形成されている。これにより、図５に示すように、カーテン補強材２の袋部３の側辺４を挟持でき、カーテン吊下具１とカーテンとの保持力を向上させることができる。
【００２３】
カーテン用フック２０は、板状に形成され、また図３に示すように、カーテン用フック２０の幅ｂがリング用フック１０の基軸１２の幅ｃより幅広に形成されていることが好ましい。それにより、図６に示すように、カーテン補強材２の袋部３内にカーテン用フック２０を挿入した際、カーテン吊下具１のカーテンへの保持力をさらに高めることができる。なお袋部３は、溶着部９により矩形状に形成されている。
【００２４】
また、カーテン用フック２０は、図４に示すように、リング用フック１０の基軸１２より幅の広い湾曲部２１を形成することでカーテン吊下具１のカーテンへの保持力を高めてもよい。カーテン用フック２０に幅広の湾曲部２１を形成することで、カーテンへの保持力をさらに高めるとともに、カーテン補強材２の袋部３への挿入や取り外しを容易に行うことができる。
【００２５】
さらにまた、カーテン吊下具１は、図７に示すように、リング用フック１０に係止用凸部１３を形成することでカーテンへの保持力を高めてもよい。係止用凸部１３を形成したことにより、カーテン用フック２０の袋部３への係止をより向上させ、カーテン用フック２０が袋部３から抜け落ちるのをさらに防ぐことができる。
【００２６】
カーテン吊下具１には、発光剤５により発光性を付与することもできる。発光剤５は、日中の太陽光又は室内の照明器具から照射される光を蓄え、暗闇で自然発光する。
【００２７】
発光剤５には、例えば硫化亜鉛、アルシン酸ストロンチウム、バリウム等の素材を含む蓄光剤が好適に使用される。かかる発光剤５を用い、リング用フック１０とカーテン用フック２０の両方、もしくは一方に発光性を付与することで、消灯後においてカーテン吊下具１が発光する。そのため、カーテンの位置を明確に視認することができ、さらには、暗闇においてもカーテンに施されているデザインや風合いを楽しむことができる。なお、発光剤５を用いた発光性の付与には、製造工程において樹脂内に発光剤５を含有させる方法や、製造後に樹脂の表面に発光剤５を塗布する方法等が挙げられる。
【００２８】
また、カーテン吊下具１には、着色剤６により色彩を付与することもできる。着色剤６は赤、黄色、青、黒等のさまざまな色彩が使用できる。かかる着色剤６を用い、リング用フック１０とカーテン用フック２０の両方、もしくは一方に色彩を付与することで、他社製品との識別化ができるとともに、表面にさまざまなデザインや文字を施すことで、外観的な趣も醸し出すことができる。なお、着色剤６を用いた色彩の付与には、製造工程において樹脂内に着色剤６を含有させる方法や、製造後に樹脂の表面に着色剤６を塗布する方法等が挙げられる。
【００２９】
また、カーテン吊下具１には、害虫忌避剤７により害虫忌避性を付与することもできる。害虫忌避剤７の一例として、辛子エキス、ヨモギエキス、シリカ、シフルトリン、フェンプロペトリン、ピリプロキシフェン、カルバリン、木酢エキス等が挙げられる。かかる害虫忌避剤７を用い、リング用フック１０とカーテン用フック２０の両方、もしくは一方に害虫忌避性を付与することで、屋外から侵入する蛾、羽アリ、ヨコバエ、ブヨ、アブ、蜂、蚊、クモ等の害虫避けに効果を発揮する。なお、害虫忌避剤７を用いた害虫忌避性の付与には、製造工程において樹脂内に害虫忌避剤７を含有させる方法や、製造後に樹脂の表面に害虫忌避剤７を塗布する方法等が挙げられる。
【００３０】
さらにまた、カーテン吊下具１には、消臭剤８を用い消臭性を付与することもできる。消臭剤８の一例として、植物抽出消臭剤、香料、除菌剤、エタノール、無機系消臭剤、緑茶系消臭材、界面活性剤等が挙げられる。かかる消臭剤８を用い、リング用フック１０とカーテン用フック２０の両方、もしくは一方に消臭性を付与することで、カーテンや室内を消臭することができる。なお、消臭剤８を用いた消臭性の付与には、製造工程において樹脂内に消臭剤８を含有させる方法や、製造後に樹脂の表面に消臭剤８を塗布する方法等が挙げられる。
【符号の説明】
【００３１】
１    カーテン吊下具
２    カーテン補強材
３    袋部
４    側辺
５    発光剤
６    着色剤
７    害虫忌避剤
８    消臭剤
９    溶着部
１０  リング用フック
１１  変形部
１２  基軸
１３  係止用凸部
２０  カーテン用フック
２１  湾曲部  
ａ    リング用フックとカーテン用フックの間隔
ｂ    カーテン用フックの幅
ｃ    リング用フックの基軸の幅
【図１】
0003205985.tif 000003
【図２】
0003205985.tif 000004
【図３】
0003205985.tif 000005
【図４】
0003205985.tif 000006
【図５】
0003205985.tif 000007
【図６】
0003205985.tif 000008
【図７】
0003205985.tif 000009
【図８】
0003205985.tif 000010